(57)【要約】      （修正有）【課題】受信デバイスにおいてクリア・チャネル・アセスメントを実行するためのシステム、方法及びデバイスを提供する。【解決手段】受信デバイスは、受信デバイスがデータ送信のための意図された受信機であるか否かを判定する。受信デバイスが意図された受信機であると判定されると、受信デバイスは、予約信号を送信する。受信デバイスの近傍にあるデバイスは、予約信号をリスンし、予約信号に基づいて、受信デバイスへ干渉信号を送信することを控えるように構成される。【選択図】図３
2015097404.tif 000002
【特許請求の範囲】
【請求項１】
無線ネットワークにおいて通信する方法であって、
データ・パケットの少なくとも一部を受信することと、
無線デバイスが、前記データ・パケットの、意図された受信機であることを判定することと、
前記無線デバイスが、前記意図された受信機であるとの判定に基づいて、予約信号を送信することと、ここで、前記予約信号は、前記無線デバイスが前記データ・パケットを受信するための通信チャネルを予約するように構成される、
を備える方法。
【請求項２】
前記予約信号は、前記通信チャネルではない専用チャネルで送信され、前記専用チャネルは、前記通信チャネルに関連付けられている、請求項１に記載の方法。
【請求項３】
前記予約信号は、前記通信チャネルで送信される、請求項１に記載の方法。
【請求項４】
前記予約信号は、第１の固定期間よりも長い第２の固定期間を備える、ビープ・インタバルによって分離された前記第１の固定期間のビープのシリーズを備える、請求項３に記載の方法。
【請求項５】
前記ビープのシリーズの各ビープは、ショート・トレーニング・フィールド信号を備える、請求項４に記載の方法。
【請求項６】
前記予約信号は、固定期間の間、前記通信チャネルを予約するように構成される、請求項１に記載の方法。
【請求項７】
前記固定期間の間、前記データ・パケットを受信すること、をさらに備える請求項６に記載の方法。
【請求項８】
無線ネットワークにおいて通信する方法であって、
少なくとも予め定義された期間、予約信号をリスンすることと、ここで、前記予約信号は、通信チャネルを予約するように構成される、
予約信号が検出されたか否かを判定することと、
前記予約信号が検出されたとの判定に基づいて、チャネル・アクセス・メカニズムを更新することと、
を備える方法。
【請求項９】
前記チャネル・アクセス・メカニズムは、予め定義された期間に少なくとも等しいポイント調整機能インタ・フレーム・スペースを備える、請求項８に記載の方法。
【請求項１０】
前記チャネル・アクセス・メカニズムは、別の予約信号がパケットの受信機によって送信されるまでの時間に少なくとも等しいスロット時間を備える、請求項８に記載の方法。
【請求項１１】
無線ネットワークにおいて通信する方法であって、
少なくとも予め定義された期間、予約信号をリスンすることと、ここで、前記予約信号は、通信チャネルを予約するように構成される、
予約信号が検出されたか否かを判定することと、
前記予約信号が検出されたとの判定に基づいて、前記通信チャネルでデータ・パケットを送信することと、
を備える方法。
【請求項１２】
前記通信チャネルではない専用チャネルにおいて前記予約信号をリスンすることをさらに備え、
前記専用チャネルは、前記通信チャネルに関連付けられている、請求項１１に記載の方法。
【請求項１３】
前記通信チャネルにおいて前記予約信号をリスンすること、をさらに備える請求項１１に記載の方法。
【請求項１４】
前記通信チャネルを予約するように構成された予約信号を、固定期間の間、前記通信チャネルにおいてリスンすること、をさらに備える請求項１１に記載の方法。
【請求項１５】
前記固定期間後、前記データ・パケットを送信すること、をさらに備える請求項１４に記載の方法。
【請求項１６】
予約信号が検出されない場合に、前記データ・パケットを送信すること、をさらに備える請求項１１に記載の方法。
【請求項１７】
アクノレッジメントを受信するために前記通信チャネルを予約するために、別の予約信号を送信すること、をさらに備える請求項１１に記載の方法。
【請求項１８】
無線ネットワークにおいて通信する装置であって、
データ・パケットの少なくとも一部を受信するように構成された受信機と、
前記装置が、前記データ・パケットの、意図された受信機であることを判定するように構成されたプロセッサと、
前記装置が、前記意図された受信機であるとの判定に基づいて、予約信号を送信するように構成された送信機と、ここで、前記予約信号は、前記装置が前記データ・パケットを受信するための通信チャネルを予約するように構成される、
を備える装置。
【請求項１９】
前記予約信号は、前記通信チャネルではない専用チャネルで送信され、前記専用チャネルは、前記通信チャネルに関連付けられている、請求項１８に記載の装置。
【請求項２０】
前記予約信号は、前記通信チャネルで送信される、請求項１８に記載の装置。
【請求項２１】
前記予約信号は、第１の固定期間よりも長い第２の固定期間を備える、ビープ・インタバルによって分離された前記第１の固定期間のビープのシリーズを備える、請求項２０に記載の装置。
【請求項２２】
前記ビープのシリーズの各ビープは、ショート・トレーニング・フィールド信号を備える、請求項２１に記載の装置。
【請求項２３】
前記予約信号は、固定期間の間、前記通信チャネルを予約するように構成される、請求項１８に記載の装置。
【請求項２４】
前記受信機はさらに、前記固定期間の間、前記データ・パケットを受信するように構成された、請求項２３に記載の装置。
【請求項２５】
無線ネットワークにおいて通信する装置であって、
少なくとも予め定義された期間、予約信号をリスンするように構成された受信機と、ここで、前記予約信号は、通信チャネルを予約するように構成される、
予約信号が検出されたか否かを判定し、前記予約信号が検出されたとの判定に基づいて、チャネル・アクセス・メカニズムを更新するように構成されたプロセッサと、
を備える装置。
【請求項２６】
前記チャネル・アクセス・メカニズムは、予め定義された期間に少なくとも等しいポイント調整機能インタ・フレーム・スペースを備える、請求項２５に記載の装置。
【請求項２７】
前記チャネル・アクセス・メカニズムは、別の予約信号がパケットの受信機によって送信されるまでの時間に少なくとも等しいスロット時間を備える、請求項２５に記載の装置。
【請求項２８】
無線ネットワークにおいて通信する装置であって、
少なくとも予め定義された期間、予約信号をリスンするように構成された受信機と、ここで、前記予約信号は、通信チャネルを予約するように構成される、
予約信号が検出されたか否かを判定するように構成されたプロセッサと、
前記予約信号が検出されたとの判定に基づいて、前記通信チャネルでデータ・パケットを送信するように構成された送信機と、
を備える装置。
【請求項２９】
前記受信機はさらに、前記通信チャネルではない専用チャネルにおいて前記予約信号をリスンするように構成され、
前記専用チャネルは、前記通信チャネルに関連付けられている、請求項２８に記載の装置。
【請求項３０】
前記受信機はさらに、前記通信チャネルにおいて前記予約信号をリスンするように構成された、請求項２８に記載の装置。
【請求項３１】
前記受信機はさらに、前記通信チャネルを予約するように構成された予約信号を、固定期間の間、前記通信チャネルにおいてリスンするように構成された、請求項２８に記載の装置。
【請求項３２】
前記送信機はさらに、前記固定期間後、前記データ・パケットを送信するように構成された、請求項３１に記載の装置。
【請求項３３】
前記送信機はさらに、予約信号が検出されない場合、前記データ・パケットを送信するように構成された、請求項２８に記載の装置。
【請求項３４】
前記送信機はさらに、アクノレッジメントを受信するために前記通信チャネルを予約するために、別の予約信号を送信するように構成された、請求項２８に記載の装置。
【請求項３５】
無線ネットワークにおいて通信する装置であって、
データ・パケットの少なくとも一部を受信する手段と、
前記装置が、前記データ・パケットの、意図された受信機であることを判定する手段と、
前記装置が、前記意図された受信機であるとの判定に基づいて、予約信号を送信する手段と、ここで、前記予約信号は、前記装置が前記データ・パケットを受信するための通信チャネルを予約するように構成される、
を備える装置。
【請求項３６】
前記予約信号は、前記通信チャネルではない専用チャネルで送信され、前記専用チャネルは、前記通信チャネルに関連付けられている、請求項３５に記載の装置。
【請求項３７】
前記予約信号は、前記通信チャネルで送信される、請求項３５に記載の装置。
【請求項３８】
前記予約信号は、第１の固定期間よりも長い第２の固定期間を備える、ビープ・インタバルによって分離された前記第１の固定期間のビープのシリーズを備える、請求項３７に記載の装置。
【請求項３９】
前記ビープのシリーズの各ビープは、ショート・トレーニング・フィールド信号を備える、請求項３８に記載の装置。
【請求項４０】
前記予約信号は、固定期間の間、前記通信チャネルを予約するように構成される、請求項３５に記載の装置。
【請求項４１】
前記固定期間の間、前記データ・パケットを受信する手段、をさらに備える請求項４０に記載の装置。
【請求項４２】
無線ネットワークにおいて通信する装置であって、
少なくとも予め定義された期間、予約信号をリスンする手段と、ここで、前記予約信号は、通信チャネルを予約するように構成される、
予約信号が検出されたか否かを判定する手段と、
前記予約信号が検出されたとの判定に基づいて、チャネル・アクセス・メカニズムを更新する手段と、
を備える装置。
【請求項４３】
前記チャネル・アクセス・メカニズムは、予め定義された期間に少なくとも等しいポイント調整機能インタ・フレーム・スペースを備える、請求項４２に記載の装置。
【請求項４４】
前記チャネル・アクセス・メカニズムは、別の予約信号がパケットの受信機によって送信されるまでの時間に少なくとも等しいスロット時間を備える、請求項４２に記載の装置。
【請求項４５】
無線ネットワークにおいて通信する装置であって、
少なくとも予め定義された期間、予約信号をリスンする手段と、ここで、前記予約信号は、通信チャネルを予約するように構成される、
予約信号が検出されたか否かを判定する手段と、
前記予約信号が検出されたとの判定に基づいて、前記通信チャネルでデータ・パケットを送信する手段と、
を備える装置。
【請求項４６】
前記通信チャネルではない専用チャネルにおいて前記予約信号をリスンする手段をさらに備え、
前記専用チャネルは、前記通信チャネルに関連付けられている、請求項４５に記載の装置。
【請求項４７】
前記通信チャネルにおいて前記予約信号をリスンする手段、をさらに備える請求項４５に記載の装置。
【請求項４８】
前記通信チャネルを予約するように構成された予約信号を、固定期間の間、前記通信チャネルにおいてリスンする手段、をさらに備える請求項４５に記載の装置。
【請求項４９】
前記固定期間後、前記データ・パケットを送信する手段、をさらに備える請求項４８に記載の装置。
【請求項５０】
予約信号が検出されない場合、前記データ・パケットを送信する手段、をさらに備える請求項４５に記載の装置。
【請求項５１】
アクノレッジメントを受信するために前記通信チャネルを予約するために、別の予約信号を送信する手段、をさらに備える請求項４５に記載の装置。
【請求項５２】
実行された場合、装置に対して、
データ・パケットの少なくとも一部を受信することと、
前記装置が、前記データ・パケットの、意図された受信機であることを判定することと、
前記装置が、前記意図された受信機であるとの判定に基づいて、予約信号を送信することと、ここで、前記予約信号は、前記装置が前記データ・パケットを受信するための通信チャネルを予約するように構成される、
を実行させる命令群、を備えるコンピュータ読取可能な媒体。
【請求項５３】
前記予約信号は、前記通信チャネルではない専用チャネルで送信され、前記専用チャネルは、前記通信チャネルに関連付けられている、請求項５２に記載のコンピュータ読取可能な媒体。
【請求項５４】
前記予約信号は、前記通信チャネルで送信される、請求項５２に記載のコンピュータ読取可能な媒体。
【請求項５５】
前記予約信号は、第１の固定期間よりも長い第２の固定期間を備える、ビープ・インタバルによって分離された前記第１の固定期間のビープのシリーズを備える、請求項５４に記載のコンピュータ読取可能な媒体。
【請求項５６】
前記ビープのシリーズの各ビープは、ショート・トレーニング・フィールド信号を備える、請求項５５に記載のコンピュータ読取可能な媒体。
【請求項５７】
前記予約信号は、固定期間の間、前記通信チャネルを予約するように構成される、請求項５２に記載のコンピュータ読取可能な媒体。
【請求項５８】
実行された場合、前記装置に対して、前記固定期間の間、前記データ・パケットを受信させる命令群、をさらに備える請求項５７に記載のコンピュータ読取可能な媒体。
【請求項５９】
実行された場合、装置に対して、
少なくとも予め定義された期間、予約信号をリスンすることと、ここで、前記予約信号は、通信チャネルを予約するように構成される、
予約信号が検出されたか否かを判定することと、
前記予約信号が検出されたとの判定に基づいて、チャネル・アクセス・メカニズムを更新することと、
を実行させる命令群、を備えるコンピュータ読取可能な媒体。
【請求項６０】
前記チャネル・アクセス・メカニズムは、予め定義された期間に少なくとも等しいポイント調整機能インタ・フレーム・スペースを備える、請求項５９に記載のコンピュータ読取可能な媒体。
【請求項６１】
前記チャネル・アクセス・メカニズムは、別の予約信号がパケットの受信機によって送信されるまでの時間に少なくとも等しいスロット時間を備える、請求項５９に記載のコンピュータ読取可能な媒体。
【請求項６２】
実行された場合、装置に対して、
少なくとも予め定義された期間、予約信号をリスンすることと、ここで、前記予約信号は、通信チャネルを予約するように構成される、
予約信号が検出されたかを否かを判定することと、
前記予約信号が検出されたとの判定に基づいて、前記通信チャネルでデータ・パケットを送信することと、
を実行させる命令群、を備えるコンピュータ読取可能な媒体。
【請求項６３】
実行された場合、前記装置に対して、前記通信チャネルではない専用チャネルにおいて前記予約信号をリスンさせるための命令群をさらに備え、ここで、前記専用チャネルは、前記通信チャネルに関連付けられている、請求項６２に記載のコンピュータ読取可能な媒体。
【請求項６４】
実行された場合、前記装置に対して、前記通信チャネルにおいて前記予約信号をリスンさせるための命令群、をさらに備える請求項６２に記載のコンピュータ読取可能な媒体。
【請求項６５】
実行された場合、前記装置に対して、前記通信チャネルを予約するように構成された予約信号を、固定期間の間、前記通信チャネルにおいてリスンさせるための命令群、をさらに備える請求項６２に記載のコンピュータ読取可能な媒体。
【請求項６６】
実行された場合、前記装置に対して、前記固定期間後、前記データ・パケットを送信させるための命令群、をさらに備える請求項６５に記載のコンピュータ読取可能な媒体。
【請求項６７】
実行された場合、前記装置に対して、予約信号が検出されない場合、前記データ・パケットを送信させるための命令群、をさらに備える請求項６２に記載のコンピュータ読取可能な媒体。
【請求項６８】
実行された場合、前記装置に対して、アクノレッジメントを受信するために前記通信チャネルを予約するために、別の予約信号を送信させるための命令群、をさらに備える請求項６２に記載のコンピュータ読取可能な媒体。
【発明の詳細な説明】
【関連出願に対する相互参照】
【０００１】
本願は、その内容全体が参照によって本明細書に組み込まれている２０１１年６月３日出願の米国仮出願６１／４９３，１６７の利益を主張する。
【技術分野】
【０００２】
本願は、一般に、無線通信に関し、さらに詳しくは、クリア・チャネル・アセスメントに基づく受信機のためのシステム、方法、およびデバイスに関する。
【背景技術】
【０００３】
多くの通信システムでは、空間的に分離されたいくつかのインタラクトするデバイス間でメッセージを交換するために通信ネットワークが使用される。ネットワークは、例えば、都市エリア、ローカル・エリア、またはパーソナル・エリアでありうる地理的なスコープにしたがって分類されうる。そのようなネットワークは、広域ネットワーク（ＷＡＮ）、都市内エリア・ネットワーク（ＭＡＮ）、ローカル・エリア・ネットワーク（ＬＡＮ）、無線ローカル・エリア・ネットワーク（ＷＬＡＮ）、またはパーソナル・エリア・ネットワーク（ＰＡＮ）としてそれぞれ指定されるだろう。これらネットワークはまた、さまざまなネットワーク・ノードおよびデバイス（例えば、回路切換対パケット切換）、送信のために適用される物理媒体のタイプ（例えば有線か無線か）、および、使用される通信プロトコルのセット（例えば、インターネット・プロトコル・スイート、ＳＯＮＥＴ（シンクロナス光ネットワーク）、イーサネット（登録商標）等）を相互接続するために使用される切換／ルーティング技術にしたがって異なる。
【０００４】
無線ネットワークは、ネットワーク要素がモバイルであり動的な接続ニーズがある場合、あるいは、ネットワーク・アーキテクチャが固定されたトポロジではなく、アド・ホックで形成されている場合にしばしば好まれる。無線ネットワークは、例えばラジオ、マイクロ波、赤外線、光等のような周波数帯域における電磁波を用いて、ガイドされていない伝搬モードで、実体のない物理媒体を適用する。無線ネットワークは、固定された有線ネットワークと比較された場合、有利なことに、ユーザ・モビリティおよび迅速なフィールド展開を容易にする。
【０００５】
無線ネットワークにおけるデバイスは、互いの間で情報を通信しうる。通信の一部として、デバイスは、デバイスが通信している地理的領域において、データを通信するために通信チャネルが利用可能であるか否かを判定しうる。一般に、送信元のデバイスは、クリア・チャネル・アセスメント（ＣＣＡ）の一部として、受信先のデバイスへデータを送信するために利用することを計画している通信チャネルにおいて、トラフィックを検出しうるか否かを判断するためにリスンするだろう。トラフィックがない場合、送信元のデバイスは、送信元のデバイスが送信することを計画している領域においてチャネルがクリアであるか否かを判定し、もって、受信先のデバイスへデータを通信しうる。しかしながら、送信元のデバイスで実行されるこのようなＣＣＡは、クリアではない場合に、送信元のデバイスが、受信先のデバイスに送信するためにチャネルがクリアであると判定し、また、クリアである場合に、送信元のデバイスが、受信先のデバイスへ送信するためにチャネルがクリアではないと判定するという問題に至りうる。したがって、ＣＣＡを改善するためのシステム、方法、およびデバイスが所望される。
【発明の概要】
【０００６】
本発明のシステム、方法、およびデバイスは、おのおのがいくつかの態様を有しており、それらのうちの何れも、単独では、所望の属性の責任を負うものではない。以下に記載された特許請求の範囲によって表されるように、本発明の範囲を制限することなく、いくつかの特徴が簡潔に説明されるだろう。この説明を考慮した後、特に、「発明を実施するための形態」と題されたセクションを読んだ後、本発明の特徴が、受信機ベースのＣＣＡを用いることによって改善されたＣＣＡを含む利点をどのようにして与えるのかが理解されるだろう。
【０００７】
本開示の１つの態様は、無線ネットワークにおいて通信する方法を提供する。この方法は、データ・パケットの少なくとも一部を受信することを備える。この方法はさらに、無線デバイスが、データ・パケットの、意図された受信機であることを判定することを備える。この方法はさらに、無線デバイスが、意図された受信機であるとの判定に基づいて、予約信号を送信することを備える。予約信号は、この無線デバイスがデータ・パケットを受信するための通信チャネルを予約するように構成される。
【０００８】
本開示の別の態様は、無線ネットワークにおいて通信する方法を提供する。この方法は、少なくとも予め定義された期間、予約信号をリスンすることを備える。予約信号は、通信チャネルを予約するように構成される。この方法はさらに、予約信号が検出されたか否かを判定することを備える。この方法はさらに、予約信号が検出されたとの判定に基づいて、チャネル・アクセス・メカニズムを更新することを備える。
【０００９】
本開示の別の態様は、無線ネットワークにおいて通信する方法を提供する。この方法は、少なくとも予め定義された期間、予約信号をリスンすることを備える。予約信号は、通信チャネルを予約するように構成される。この方法はさらに、予約信号が検出されたか否かを判定することを備える。この方法はさらに、予約信号が検出されたとの判定に基づいて、通信チャネルでデータ・パケットを送信することを備える。
【００１０】
本開示の別の態様は、無線ネットワークにおいて通信する装置を提供する。この装置は、データ・パケットの少なくとも一部を受信するように構成された受信機を備える。この装置はさらに、この装置が、データ・パケットの、意図された受信機であることを判定するように構成されたプロセッサを備える。この装置はさらに、この装置が、意図された受信機であるとの判定に基づいて、予約信号を送信するように構成された送信機を備える。予約信号は、この装置がデータ・パケットを受信するための通信チャネルを予約するように構成される。
【００１１】
本開示の別の態様は、無線ネットワークにおいて通信する装置を提供する。この装置は、少なくとも予め定義された期間、予約信号をリスンするように構成された受信機を備える。予約信号は、通信チャネルを予約するように構成される。装置はさらに、予約信号が検出されたか否かを判定するように構成されたプロセッサを備える。プロセッサはさらに、予約信号が検出されたとの判定に基づいて、チャネル・アクセス・メカニズムを更新するように構成される。
【００１２】
本開示の別の態様は、無線ネットワークにおいて通信する装置を提供する。この装置は、少なくとも予め定義された期間、予約信号をリスンするように構成された受信機を備える。予約信号は、通信チャネルを予約するように構成される。この装置はさらに、予約信号が検出されたか否かを判定するように構成されたプロセッサを備える。この装置はさらに、予約信号が検出されたとの判定に基づいて、通信チャネルでデータ・パケットを送信するように構成された送信機を備える。
【００１３】
本開示の別の態様は、無線ネットワークにおいて通信する装置を提供する。この装置は、データ・パケットの少なくとも一部を受信する手段を備える。装置はさらに、この装置が、データ・パケットの、意図された受信機であることを判定する手段を備える。装置はさらに、この装置が意図された受信機であるとの判定に基づいて予約信号を送信する手段を備える。予約信号は、この装置がデータ・パケットを受信するための通信チャネルを予約するように構成される。
【００１４】
本開示の別の態様は、無線ネットワークにおいて通信する装置を提供する。この装置は、少なくとも予め定義された期間、予約信号をリスンする手段を備える。予約信号は、通信チャネルを予約するように構成される。この装置はさらに、予約信号が検出されたか否かを判定する手段を備える。装置はさらに、予約信号が検出されたとの判定に基づいて、チャネル・アクセス・メカニズムを更新する手段を備える。
【００１５】
本開示の別の態様は、無線ネットワークにおいて通信する装置を提供する。この装置は、少なくとも予め定義された期間、予約信号をリスンする手段を備える。予約信号は、通信チャネルを予約するように構成される。この装置はさらに、予約信号が検出されたか否かを判定する手段を備える。この装置はさらに、予約信号が検出されたとの判定に基づいて、通信チャネルでデータ・パケットを送信する手段を備える。
【００１６】
本開示の別の態様は、命令群を備えるコンピュータ読取可能な媒体を提供する。これら命令群は、実行された場合、装置に対して、データ・パケットの少なくとも一部を受信させる。これら命令群は、実行された場合、装置に対してさらに、この装置が、データ・パケットの、意図された受信機であることを判定させる。これら命令群は、実行された場合、装置に対してさらに、この装置が、意図された受信機であるとの判定に基づいて、予約信号を送信させる。予約信号は、この装置がデータ・パケットを受信するための通信チャネルを予約するように構成される。
【００１７】
本開示の別の態様は、命令群を備えるコンピュータ読取可能な媒体を提供する。これら命令群は、実行された場合、装置に対して、少なくとも予め定義された期間、予約信号をリスンさせる。予約信号は、通信チャネルを予約するように構成される。これら命令群は、実行された場合、装置に対してさらに、予約信号が検出されたか否かを判定させる。これら命令群は、実行された場合、装置に対してさらに、予約信号が検出されたとの判定に基づいて、チャネル・アクセス・メカニズムを更新させる。
【００１８】
本開示の別の態様は、命令群を備えるコンピュータ読取可能な媒体を提供する。これら命令群は、実行された場合、装置に対して、少なくとも予め定義された期間、予約信号をリスンさせる。予約信号は、通信チャネルを予約するように構成される。これら命令群は、実行された場合、装置に対してさらに、予約信号が検出されたか否かを判定させる。これら命令群は、実行された場合、装置に対してさらに、予約信号が検出されたとの判定に基づいて、通信チャネルでデータ・パケットを送信させる。
【図面の簡単な説明】
【００１９】
【図１】図１は、本開示の態様が適用されうる無線通信システムの例を例示する。
【図２】図２は、図１の無線通信システム内に適用されうる、無線デバイスにおいて利用されうる、受信機を含むさまざまな構成要素を例示する。
【図３】図３は、無線デバイスが通信を送信および受信することが可能な地理的領域を例示する。
【図４】図４は、ネットワーク・アロケーション・ベクトル（ＮＡＶ）を設定するために生じうるシグナリングの例を例示する。
【図５】図５は、予約信号を送信するために生じうるシグナリングの例を例示する。
【図６】図６は、データ帯域を予約するために送信元のデバイスおよび受信先のデバイスによる予約信号の送信の例を例示する。
【図７】図７は、データ帯域を予約するために送信元のデバイスおよび受信先のデバイスによる予約信号の送信の別の例を例示する。
【図８】図８は、パケットを受信する無線デバイスによる予約信号の送信を例示する。
【図９】図９は、通信チャネルを予約するためにオーバヘッドで費やされる時間の長さ対ビープ・インタバル（ＢＩ）のために選択された値のグラフを例示する。
【図１０】図１０は、受信機ベースのクリア・チャネル・アセスメント（ＣＣＡ）を用いて無線ネットワークでデータを送信するための方法の態様を例示する。
【図１１】図１１は、受信機ベースのＣＣＡを用いて無線ネットワークでデータを受信するための方法の態様を例示する。
【図１２】図１２は、図１の無線通信システム内で適用されうる別の典型的な無線デバイスの機能ブロック図である。
【図１３】図１３は、図１の無線通信システム内で適用されうる別の典型的な無線デバイスの機能ブロック図である。
【発明を実施するための形態】
【００２０】
斬新なシステム、装置、および方法のさまざまな態様が、添付図面を参照して以下により十分に記載される。しかしながら、本教示および開示は、異なる多くの形態で具体化され、本開示を通じて示されたいかなる具体的な構成または機能にも限定されるとは解釈されるべきではない。むしろ、これらの態様は、本開示が十分で完全であり、本開示の範囲を当業者に十分に伝達できるように提供されている。本明細書における教示に基づいて、当業者は、本開示の範囲は、独立して実施されようが、あるいは、本発明の任意の他の態様と組み合わされようが、本明細書で開示された斬新なシステム、装置、および方法のあらゆる態様をカバーすることが意図されていることを認識すべきである。例えば、本明細書に記載された任意の数の態様を用いて装置が実現され、方法が実施されうる。さらに、本発明の範囲は、別の構成、機能、または、本明細書に記載された発明のさまざまな態様またはそれ以外の態様が追加された構成および機能を用いて実現される装置または方法をカバーすることが意図されている。本明細書で開示されたあらゆる態様は、特許請求の範囲の１または複数の要素によって具体化されうる。
【００２１】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、このうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００２２】
ポピュラーな無線ネットワーク技術は、さまざまなタイプの無線ローカル・エリア・ネットワーク（ＷＬＡＮ）を含みうる。ＷＬＡＮは、近くのデバイスをともに相互接続するために使用されており、広範に使用されるネットワーキング・プロトコルを適用している。本明細書に開示されたさまざまな態様は、例えばＷｉＦｉ、さらに詳しくは、無線プロトコルのＩＥＥＥ  ８０２．１１規格の何れかのメンバのような任意の通信規格に適合しうる。例えば、本明細書に記載されたさまざまな態様は、サブ１ＧＨｚ帯域を用いるＩＥＥＥ  ８０２．１１ａｈプロトコルの一部として使用されうる。
【００２３】
いくつかの態様では、サブ・ギガ・ヘルツ帯域における無線信号が、直交周波数−分割多重（ＯＦＤＭ）通信、ダイレクト−シーケンス拡散スペクトル（ＤＳＳＳ）通信、ＯＦＤＭ通信とＤＳＳＳ通信との組み合わせ、またはその他のスキームを用いて、８０２．１１ａｈプロトコルにしたがって送信されうる。８０２．１１ａｈプロトコルの実施は、センサ、メータ、およびスマート・グリッド・ネットワークのために使用されうる。有利なことに、８０２．１１ａｈプロトコルを実施するあるデバイスの態様は、その他の無線プロトコルを実施するデバイスよりも少ない電力しか消費しない場合がありうる。および／または、例えば約１キロメータまたはそれ以上のように、比較的長距離にわたって無線信号を送信するために使用されうる。
【００２４】
いくつかの実施では、ＷＬＡＮは、無線ネットワークにアクセスする構成要素であるさまざまなデバイスを含んでいる。例えば、２種類のデバイス、すなわち、アクセス・ポイント（“ＡＰ”）およびクライアント（局または“ＳＴＡ”とも称される）が存在しうる。一般に、ＡＰは、ＷＬＡＮのためのハブまたは基地局として役立ち、ＳＴＡは、ＷＬＡＮのユーザとして役立つ。例えば、ＳＴＡは、ラップトップ・コンピュータ、携帯情報端末（ＰＤＡ）、モバイル電話等でありうる。例において、インターネットまたはその他の広域ネットワークへの一般的な接続を得るために、ＷｉＦｉ（例えば、８０２．１１ａｈのようなＩＥＥＥ  ８０２．１１プロトコル）準拠の無線リンクを介してＡＰに接続する。いくつかの実施では、ＳＴＡは、ＡＰとしても使用されうる。
【００２５】
アクセス・ポイント（“ＡＰ”）はさらに、ノードＢ、ラジオ・ネットワーク・コントローラ（“ＲＮＣ”）、ｅノードＢ、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、またはその他を備えうるか、これらとして実現されうるか、または、これらとして知られうる。
【００２６】
局（“ＳＡＴ”）はまた、アクセス端末（“ＡＴ”）、加入者局、加入者ユニット、移動局、遠隔局、遠隔端末、ユーザ端末、ユーザ・エージェント、ユーザ・デバイス、ユーザ機器、またはその他いくつかの用語として知られているか、備えているか、または実現されうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、あるいは無線モデムに接続されたその他いくつかの適切な処理デバイスを備えうる。したがって、本明細書で教示された１または複数の態様は、電話（例えば、セルラ電話またはスマートフォン）、コンピュータ（例えば、ラップトップ）、ポータブル通信デバイス、ヘッドセット、ポータブル・コンピューティング・デバイス（例えば、パーソナル・データ・アシスタント）、エンタテイメント・デバイス（例えば、音楽またはビデオ・デバイス、または衛星ラジオ）、ゲーム・デバイスまたはシステム、全地球測位システム・デバイス、または無線媒体を介して通信するように構成されたその他任意の適切なデバイスに組み込まれうる。
【００２７】
前述したように、本明細書に記載されたあるデバイスは、例えば８０２．１１ａｈ規格を実装しうる。このようなデバイスは、ＳＴＡまたはＡＴまたはその他のデバイスとして使用されていようといまいと、スマート・メータリングのため、または、スマート・グリッド・ネットワークにおいて使用されうる。このようなデバイスは、センサ・アプリケーションを提供しうるか、ホーム・オートメーションにおいて使用されうる。これらデバイスは、その代わりに、あるいは、それに加えて、例えば、パーソナル・ヘルスケアのようなヘルスケア・コンテキストにおいて使用されうる。さらに、（例えば、ホットスポットで使用するため）拡張範囲インターネット接続をイネーブルするため、または、マシン・トゥ・マシン通信を実施するための、サーベイランス用にも使用されうる。
【００２８】
図１に、本開示の態様が適用されうる無線通信システム１００の例を示す。無線通信システム１００は、例えば８０２．１１ａｈ規格のような無線規格に準拠して動作しうる。無線通信システム１００は、ＳＴＡ１０６と通信するＡＰ１０４を含みうる。
【００２９】
さまざまな処理および方法が、無線通信システム１００内におけるＡＰ１０４とＳＴＡ１０６との間の送信のために使用されうる。例えば、信号が、ＯＦＤＭ／ＯＦＤＭＡ技術にしたがってＡＰ１０４とＳＴＡ１０６との間で送信および受信されうる。この場合、無線通信システム１００は、ＯＦＤＭ／ＯＦＤＭＡシステムと称されうる。あるいは、信号が、ＣＤＭＡ技術にしたがってＡＰ１０４とＳＴＡ１０６との間で送信および受信されうる。この場合、無線通信システム１００は、ＣＤＭＡシステムと称されうる。
【００３０】
ＡＴ１０４からＳＴＡ１０６の１または複数への送信を容易にする通信リンクは、
ダウンリンク（ＤＬ）１０８と称され、ＳＴＡの１または複数からＡＰ１０４への送信を容易にする通信リンクは、アップリンク（ＵＬ）１１０と称されうる。あるいは、ダウンリンク１０８を、順方向リンクまたは順方向チャネルと称したり、アップリンク１１０を、逆方向リンクまたは逆方向チャネルと称しうる。
【００３１】
ＡＰ１０４は、基地局として動作し、基本サービス・エリア（ＢＳＡ）１０２において無線通信有効範囲を提供しうる。ＡＰ１０４はＳＴＡ１０６とともに基本サービス・セット（ＢＳＳ）と称されうる。ここで、ＳＴＡ１０６は、ＡＰ１０４に関連付けられ、通信のためにＡＰ１０４を使用する。無線通信システム１００は、中央ＡＰ１０４を有していないかもしれず、代わりに、ＳＴＡ１０６間のピア・トゥ・ピア・ネットワークとして機能しうることが注目されるべきである。したがって、本明細書に記載されたＡＰ１０４の機能は、代わりに、ＳＴＡ１０６のうちの１または複数によって実行されうる。さらに、本明細書に記載されたＳＴＡ１０６の機能は、代わりに、ＡＰ１０４のうちの１または複数によって実行されうる。
【００３２】
図２は、無線通信システム１００内に適用されうる無線デバイス２０２で利用されうるさまざまな構成要素を図示する。無線デバイス２０２は、本明細書で説明されるさまざまな方法を実施するように構成されうるデバイスの例である。例えば、無線デバイス２０２は、ＳＴＡ１０６のうちの１つ、またはＡＰ１０４を備えうる。
【００３３】
無線デバイス２０２は、無線デバイス２０２の動作を制御するプロセッサ２０４を含みうる。このプロセッサ２０４は、中央制御装置（ＣＰＵ）とも称されうる。読取専用メモリ（ＲＯＭ）とランダム・アクセス・メモリ（ＲＡＭ）との両方を含みうるメモリ２０６は、プロセッサ２０４に命令およびデータを提供する。メモリ２０６の一部は、不揮発性ランダム・アクセス・メモリ（ＮＶＲＡＭ）をも含みうる。プロセッサ２０４は、通常、メモリ２０６に格納されたプログラム命令に基づいて、ロジック演算および算術演算を実行する。本明細書で説明される方法を実施するために、メモリ２０６内の命令群が実行可能とされうる。
【００３４】
無線デバイス２０２が、送信ノードとして実施または使用されている場合、以下にさらに詳細に説明するように、プロセッサ２０４は、データの生成、データの処理、および、無線デバイス２０２の動作の制御を行うように構成されうる。
【００３５】
無線デバイス２０２が、受信ノードとして実施または使用されている場合、以下にさらに詳細に説明するように、プロセッサ２０４は、データの生成、データの処理、および、無線デバイス２０２の動作の制御を行うように構成されうる。
【００３６】
プロセッサ２０４は、１または複数のプロセッサで実現される処理システムの構成要素でありうるか、これら構成要素を備えうる。１または複数のプロセッサは、汎用マイクロ・プロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、コントローラ、ステート・マシン、ゲート・ロジック、ディスクリート・ハードウェア構成要素、専用ハードウェア有限ステート・マシン、または情報の計算またはその他の操作を実行できうるその他任意の適切なエンティティ、からなる任意の組み合わせを用いて実現されうる。
【００３７】
処理システムはまた、ソフトウェアを格納するための機械読取可能な媒体をも含みうる。ソフトウェアは、ソフトウェア、ファームウェア、ミドルウェア、マイクロコード、ハードウェア記述言語、またはその他で称されようと、任意のタイプの命令群を意味すると広く解釈されるものとする。命令群は、（例えば、ソース・コード・フォーマット、バイナリ・コード・フォーマット、実行可能なコード・フォーマット、または、その他任意の適切なコードのフォーマットで）コードを含みうる。これら命令群は、１または複数のプロセッサによって実行された場合、処理システムに対して、本明細書に記載されたさまざまな機能を実行させる。
【００３８】
無線デバイス２０２はさらに、無線デバイス２０２と遠隔位置との間のデータの送信および受信を可能にするために、送信機２１０および／または受信機２１２を含みうる。送信機２１０および受信機２１２は、トランシーバ２１４に組み合わされうる。アンテナ２１６が、ハウジング２０８に取り付けられ、トランシーバ２１４に電気的に接続されうる。無線デバイス２０２は、（図示されていない）複数の送信機、複数の受信機、複数のトランシーバ、および／または複数のアンテナをも含みうる。送信機２１０は、無線でデータを送信するように構成されうる。受信機２１２は、データを受信するように構成されうる。
【００３９】
無線デバイス２０２はまた、トランシーバ２１４によって受信された信号を検出し、そのレベルを定量化する目的で使用されうる信号検出器２１８をも含みうる。信号検出器２１８は、合計エネルギ、シンボル毎のサブキャリア毎のエネルギ、電力スペクトル密度、およびその他の信号のような信号を検出しうる。無線デバイス２０２は、信号を処理する際に使用されるデジタル信号プロセッサ（ＤＳＰ）２２０をも含みうる。ＤＳＰ２２０は、送信のためにパケットを生成するように構成されうる。いくつかの態様では、パケットは、物理レイヤ収束手順（ＰＬＣＰ）プロトコル・データ・ユニット（ＰＰＤＵ）を備えうる。
【００４０】
無線デバイス２０２はさらに、いくつかの態様では、ユーザ・インタフェース２２２を備えうる。ユーザ・インタフェース２２２は、キーパッド、マイクロホン、スピーカ、および／または、ディスプレイを備えうる。ユーザ・インタフェース２２２は、無線デバイス２０２のユーザへの情報の伝送、および／または、ユーザからの入力の受信を行う任意の要素または構成要素を含みうる。
【００４１】
無線デバイス２０２のさまざまな構成要素は、バス・システム２２６によってともに接続されうる。バス・システム２２６は、データ・バスのみならず、例えば、データ・バスに加えて、電力バス、制御信号バス、およびステータス信号バスをも含みうる。当業者であれば、無線デバイス２０２の構成要素は、その他いくつかのメカニズムを用いてともに接続されうるか、または、入力を受け付けるか、または、入力を互いに提供しうることを認識するだろう。
【００４２】
多くの個別の構成要素が図２に例示されているが、当業者であれば、これら構成要素のうちの１または複数は、組み合わせて、または、共通して実現されうることを認識するだろう。例えば、プロセッサ２０４は、プロセッサ２０４に関して前述された機能のみならず、信号検出器２１８および／またはＤＳＰ２２０に関して前述された機能をも実施するために使用されうる。さらに、図２に例示された構成要素のおのおのは、複数の個別の要素を用いて実現されうる。
【００４３】
参照を容易にするために、無線デバイス２０２が送信ノードとして構成されている場合、以下において、無線デバイス２０２ｔと称される。同様に、無線デバイス２０２が受信ノードとして構成されている場合、以下において、無線デバイス２０２ｒと称される。無線通信システム１００におけるデバイスは、送信ノードの機能のみならず、受信ノードの機能、または、送信ノードと受信ノードとの両方の機能を実現しうる。
【００４４】
前述したように、無線デバイス２０２は、ＡＰ１０４またはＳＴＡ１０６を備えうる。そして、データを送信および／または受信するために使用されうる。
【００４５】
本明細書に記載されているものは、送信ノードが受信ノードにデータを送信するために通信チャネルが利用可能であるか否かを判定するために、クリア・チャネル・アセスメント（ＣＣＡ）を実行するシステムおよび方法である。例えば、無線デバイス２０２ｔは、無線デバイス２０２ｒへ送信するデータを有しうる。無線デバイス２０２ｔは、１または複数のチャネルで無線デバイス２０２ｒと通信するように構成されうる。無線デバイス２０２ｔは、無線デバイス２０２ｒへデータを送信する前に、無線デバイス２０ｒとの通信のために１または複数のチャネルが利用可能であるか否かを判定するためにＣＣＡを実行しうる。したがって、無線デバイス２０２ｔは、１または複数のチャネルをリスンし、１または複数のチャネルが他のデバイスによって使用されているか否かを判定しうる。無線デバイス２０２ｔが、１または複数のチャネルでエネルギ（例えば、送信）を検出した場合、無線デバイス２０２ｔは、１または複数のチャネルが使用されていると判定し、無線デバイス２０２ｔが、データを、これら１または複数のチャネルで、無線デバイス２０２ｒへ送信しているのであれば、これは、干渉を引き起こすだろう。無線デバイス２０２ｔがエネルギを検出しない場合、無線デバイス２０２ｔは、無線デバイス２０２ｒへデータを送信しうる。
【００４６】
したがって、前述されたＣＣＡは、通信と干渉するであろう無線デバイス２０２ｒ近傍に送信があるか否かに基づくのではなく、無線デバイス２０２ｒとの通信と干渉するであろう無線デバイス２０２ｔ近傍に送信があるか否かに基づく。しかしながら、干渉を回避するために、別のデバイスからの送信を回避しながら、無線デバイス２０２ｔからデータを受信しなければならないのは無線デバイス２０２ｒである。したがって、送信機ベースのＣＣＡは、無線デバイス２０２ｒによる受信と干渉しないであろう領域における無線デバイス２０２ｒとの通信のため、潜在的な干渉元を検出することに至りうる。さらに、送信機ベースのＣＣＡは、無線デバイス２０２ｒによる受信と干渉するであろう領域における潜在的な干渉元を検出しない場合がありうる。この問題は、図３に関してさらに説明される。
【００４７】
図３は、無線デバイスが通信を送信および受信することが可能な地理的領域を例示する。図示されるように、無線デバイス２０２ｔは、無線デバイス２０２ｒにデータを送信する。無線デバイス２０２ｔの周囲の領域３１０（円によって示されるが、実際の地理的領域は、円ではない場合がありうる）は、無線デバイス２０２ｔからの送信が、別の無線デバイスによって検出可能である領域を示す。さらに、領域３１０は、送信元の無線デバイスが位置する場合に、無線デバイス２０２ｔが、これら送信元の無線デバイスの送信を検出しうる領域を示す。無線デバイス２０２ｒの周囲の領域３２０（円によって示されるが、実際の地理的領域は、円ではない場合がありうる）は、無線デバイス２０２ｒからの送信が別の無線デバイスによって検出可能である領域を示す。さらに、領域３２０は、送信元の無線デバイスが位置する場合に、無線デバイス２０２ｒが、これら送信元の無線デバイスの送信を検出しうる領域を示す。したがって、無線デバイス２０２ｒが、干渉なく、無線デバイス２０２ｔからの送信を受信するためには、領域３２０において、別のデバイスから生じる送信があってはならない。しかしながら、送信機ベースのＣＣＡだけで、無線デバイス２０２ｔは、領域３１０内の他のデバイスからの送信を検出できるようになる。したがって、無線デバイス２０２ｔは、領域３１５（円領域３２０と交わらない円領域３１０）における送信を検出し、たとえこの送信が、このようなシナリオに受け入れ可能となろうとも、無線デバイス２０２ｒへ送信しない。さらに、無線デバイス２０２ｔは、領域３２５（円領域３１０と交わらない円領域３２０）における送信を検出しないであろう。そして、たとえ、このような送信が、領域３２５における他の送信元のデバイスからの潜在的な干渉を有しうるのであろうとも、無線デバイス２０２ｒへ送信しうる。したがって、本明細書で説明されたシステムおよび方法は、受信機ベースのＣＣＡを可能にする。これは、干渉元の信号があるか否かの判定が、無線デバイス２０２ｒによってなされることを意味する。これは、適切な領域３２０における干渉元の信号を正確に検出しうる。
【００４８】
１つの実施形態では、無線デバイス２０２ｒは、領域３２０内のネットワーク・アロケーション・ベクトル（ＮＡＶ）を設定することによって、領域３２０における他の送信機が、無線デバイス２０２ｔが送信するのと同時に同じチャネル（単数または複数）で送信せず、もって、干渉を回避しうることを保証しうる。ＮＡＶは、無線デバイス２０２ｔと無線デバイス２０２ｒのために、設定された期間、チャネル（単数または複数）を予約し、もって、他のデバイスは、ＮＡＶの間、送信しないだろう。ＮＡＶは、無線デバイス２０２ｔと無線デバイス２０２ｒとの間の送信要求／送信クリア（ＲＴＳ／ＣＴＳ）メッセージングを用いて設定されうる。
【００４９】
図４は、ＮＡＶを設定するために生じうるシグナリングの例を例示する。図示されるように、無線デバイス２０２ｔは、特定の期間、ＮＡＶを要求するデータを、無線デバイス２０２ｒへ送信しうる。これによって、無線デバイス２０２ｔは、ＮＡＶの間、無線デバイス２０２ｒへデータを送信できうる。この要求は、送信要求（ＲＴＳ）と称されうる。無線デバイス２０２ｒは、この要求を受信しうる。そして、送信をリスンすることによって、領域３２０において、潜在的な干渉元が送信しているか否かを判定しうる。潜在的な干渉元が識別されない場合、無線デバイス２０２ｒは、無線デバイス２０２ｔへデータを送信し、通信チャネルが送信のために利用可能であることを示す。このインジケーションは、送信クリア（ＣＴＳ）と称されうる。このインジケーションは、無線デバイス２０２ｒによって送信されるので、領域３２０内において送信される。このインジケーションを受信する（聞く）、領域３２０内のデバイス（例えばＳＴＡ２）は、その後、ＮＡＶの間、送信を控え、これによって、領域３２０内の干渉が終わる。しかしながら、領域３２０内のデバイス（例えば、ＳＴＡ２）は、このインジケーションを聞かない場合、送信を控えないので、問題が生じうる。これは、無線デバイス２０２ｒがこのインジケーションを送信している場合に、領域３２０内のデバイスがすでに通信している（データを送信および／または受信している）ところ（例えば、ＳＴＡ１からのデータを受信するＳＴＡ２）で生じうる。したがって、無線デバイス２０２ｔが無線デバイス２０２ｒへデータを送信した場合、無線デバイス２０２ｒにおいて干渉が存在しうる。
【００５０】
別の実施形態では、無線デバイス２０２ｒは、（「データ帯域」と称されうる）１または複数の通信チャネルを予約するために、ネットワークにおける無線デバイスによるデータ通信のために使用されない１または複数の専用チャネル（「ＣＣＡ帯域」と称されうる）で予約信号（「ビープ」と称されうる）を送信するように構成されうる。専用チャネルは、デバイスによるデータ通信のために使用される１または複数のチャネル内ではない中心の周波数（または、複数の周波数）を有する専用の狭帯域チャネル（または、複数のチャネル）でありうる。１または複数の専用チャネルのために使用される周波数帯域（単数または複数）と、１または複数の通信チャネルのために使用される周波数帯域（単数または複数）との間が分離されうる。さらに、異なる各専用チャネルが、１または複数の別の通信チャネルに関連付けられうる。したがって、無線デバイス２０２ｒは、通信のために予約することを希望している通信チャネル（単数または複数）に依存して、適切な専用チャネル（単数または複数）で１または複数の予約信号を送信しうる。無線デバイス２０２ｒは、１または複数の通信チャネルを予約する意思がある限り、予約信号を送信するように構成されうる。したがって、無線デバイス２０２ｒが、無線デバイス２０２ｔから、１または複数の通信チャネルによって、データを受信するつもりであると判定した場合、無線デバイス２０２ｒは、適切な専用チャネルで予約信号を送信し始める。
【００５１】
無線デバイス２０２ｒは、無線デバイス２０２ｔから送信されたデータ・パケットの最初の部分を受信することによって、無線デバイス２０２ｔからデータを受信するつもりであると判定しうる。データ・パケットの最初の部分は、無線デバイス２０２ｒがデータ・パケットの意図された受信先であることを無線デバイス２０２ｒに示すヘッダ情報を含みうる。この判定がなされると、無線デバイス２０２ｒは、適切な専用チャネルで、予約信号の送信を開始しうる。無線デバイス２０２ｒが、データ・パケットの最初の部分を受信する時と、予約信号の送信を開始する時との間の時間は、ビープ時間または（ＴＴＢ）と称されうる。したがって、無線デバイス２０２ｒは、他のデバイスからの干渉無しで、無線デバイス２０２ｔから、データ・パケットの残りを受信しうる。無線デバイス２０２が意図された受信先であるか否かに関する判定を行うために無線デバイス２０２ｒが要する時間は、無線デバイス２０２ｔが、データ・パケットのプリアンブルに、無線デバイス２０２ｒの媒体アクセス制御（ＭＡＣ）アドレスを含めることによって低減されうる。例えば、無線デバイス２０２ｒのＭＡＣアドレスが、パケットの物理レイヤ（ＰＨＹ）ヘッダに含まれうる。無線デバイス２０２ｒは、その後、データ・パケットの送信の早期において、ＭＡＣアドレスを検出し、この検出に基づいて、無線デバイス２０２ｒが意図された受信先であるか否かを判定しうる。
【００５２】
デバイスは、通信チャネルでデータを送信する前に、予約信号が受信されたか否かを判定するために、この通信チャネルに関連付けられた専用チャネルをリスンするように構成されうる。予約信号が受信された場合、送信元のデバイスは、無線デバイス２０２ｒが、この通信チャネルを予約したと判定し、送信を控え、もって、干渉が回避される。デバイスが予約信号をリスンする期間は、ロング・ポイント調整機能インタ・フレーム・スペース（ＰＩＦＳ）でありうる。ＰＩＦＳは、受信機がパケットを受信した時と、受信機がパケットの受信先であると受信機が判定した時との間の時間を、少なくともカバーするように設定されうる。したがって、デバイスは、無線デバイス２０２ｒがパケットの受信を開始したが、無線デバイス２０２ｒがデータ・パケットの受信先であるとの判定はなされていないので予約信号を送信していないという状況を回避するために、直ちに送信を開始することはないだろう。送信元のデバイスは、ロングＰＩＦＳ内で予約信号を聞かない場合、図５に関して後述されるように、通信チャネルがアイドルであると仮定し、データの送信を開始する。
【００５３】
図５は、予約信号の送信のために生じうるシグナリングの例を例示する。図示されるように、データ・パケット５０５は、無線デバイス２０２ｔから、データ帯域５２０で無線デバイス２０２ｒへ送信される。この場合、無線デバイス２０２ｒは、時間０で始まって、ＰＨＹヘッダ５０７の一部であるデータ・パケット５０５の最初の部分を受信した後、無線デバイス２０２ｒが意図された受信先であるかを判定する。無線デバイス２０２ｒは、その後、ＴＴＢ期間後、データ帯域５２０に関連付けられたＣＣＡ帯域５３０でビープ５１５を送信する。無線デバイス２０２ｒは、データ帯域５２０でデータ・パケット５０５を受信すると、ＣＣＡ帯域５３０でビープ５１５を送信し続け、これによって、データ帯域５２０を予約する。
【００５４】
以下の記載は、無線ネットワークにおいて、前述した予約信号を用いる方法を実施する場合に考慮する要因である。１つの実施形態では、ネットワークにおけるデータ送信のためのスロット時間が、少なくともＴＴＢに等しくなるように設定される。さらに、ＰＩＦＳは、ショート・インタ・フレーム・スペース（ＳＩＦＳ）＋スロット時間に設定されうる。いくつかの実施形態では、１または複数の通信チャネルを予約するために受信機（例えば、無線デバイス２０２ｒ）が予約信号を送信することに加えて、または、その代わりに、送信機（無線デバイス２０２ｔ）もまた、１または複数の通信チャネルを予約するために予約信号を送信しうる。さらに、いくつかの実施形態では、無線デバイス２０２ｔは、データ・パケットの送信に基づいて、無線デバイス２０２ｒからアクノレッジメント（ＡＣＫ）を受信することを期待して、１または複数の通信チャネルを予約するために、予約信号を送信しうる。無線デバイス２０２ｔは、ＡＣＫを受信するまで、予約信号を送信しうる。１つの実施形態では、無線デバイス２０２ｔは、データ・パケットを送信した後、ＡＣＫを受信するまで、予約信号を送信しうる。別の実施形態では、無線デバイス２０２ｔは、データ・パケットの送信を開始するや否や、ＡＣＫを受信するまで、予約信号を送信しうる。これはさらに、パケットの最初の部分が、無線デバイス２０２ｔによって無線デバイス２０２ｒへ送信されている間における干渉を回避しうる。
【００５５】
図６は、データ帯域を予約するための、送信元のデバイスおよび受信先のデバイスによる予約信号の送信を例を例示する。図５と同様に、データ・パケット６０５は、無線デバイス２０２ｔから、データ帯域６２０で無線デバイス２０２ｒへ送信される。さらに、無線デバイス２０２ｒは、データ帯域６２０でデータ・パケット６０５を受信すると、ＣＣＡ帯域６３０でビープ６１５を送信する。これによって、データ帯域６２０が予約される。さらに、無線デバイス２０２ｔは、ＣＣＡ帯域６３０でビープ６４５を送信する一方、無線デバイス２０２ｒは、データ帯域６２０でＡＣＫ６５５を無線デバイス２０２ｔへ送信する。したがって、無線デバイス２０２ｔは、無線デバイス２０２ｒからＡＣＫ６５５を受信するために、データ帯域６２０を予約する。
【００５６】
図７は、データ帯域を予約するための、送信元のデバイスおよび受信先のデバイスによる予約信号の送信の別の例を例示する。図６と同様に、データ・パケット７０５が、無線デバイス２０２ｔから、データ帯域７２０で無線デバイス２０２ｒへ送信される。さらに、無線デバイス２０２ｒは、データ帯域７２０でデータ・パケット７０５を受信すると、ＣＣＡ帯域７３０でビープ７１５を送信し、もって、データ帯域７２０を予約する。さらに、無線デバイス２０２ｔは、データ・パケット７０５を送信している間と、無線デバイス２０２ｒがデータ帯域７２０でＡＣＫ７５５を無線デバイス２０２ｔへ送信している間との両方において、ＣＣＡ帯域７３０でビープ７４５を送信する。したがって、無線デバイス２０２ｔは、データ・パケット７０５の送信と、無線デバイス２０２ｒからのＡＣＫ７５５の受信とのために、データ帯域７２０を予約する。
【００５７】
別の実施形態では、データの受信機（例えば、無線デバイス２０２ｒ）は、ビープ・インタバル（ＢＩ）と称されうる期間、１または複数の通信チャネルを予約する（受信機ビープ（ＲｘＢｅｅｐ）と称されうる）ショート・ビープを備える、別のタイプの予約信号を送信するように構成されうる。ＢＩは、固定値でありうる。無線デバイス２０２ｒは、無線デバイス２０２ｒが無線デバイス２０２ｔからデータを受信することを意図している１または複数の同じ通信チャネルでＲｘＢｅｅｐを送信するように構成されうる。
【００５８】
１つの実施形態では、ＲｘＢｅｅｐは、いくつかのショート・トレーニング・フィールドを備えている。ショート・トレーニング・フィールドは、スーパインポーズされたあるデータを伴っている。一般に、ＲｘＢｅｅｐは、ＲｘＢｅｅｐをユニークに定義するものとして無線デバイスが認識するように構成されているある信号でありうる。したがって、無線デバイス２０２ｒが、１または複数のチャネルでＲｘＢｅｅｐを送信した場合、領域３２０内の他のデバイスは、この１または複数のチャネルにおいて、ＲｘＢｅｅｐを聞くだろう。他のデバイスは、領域３２０においてＲｘＢｅｅｐを聞くと、１または複数のチャネルにおけるＢＩのための送信を控える。無線デバイス２０２ｒは、それ自身のＲｘＢｅｅｐを無視するように構成されうる。さらに、無線デバイス２０２ｔは、無線デバイス２０２ｒがＲｘＢｅｅｐを送信している間、ＲｘＢｅｅｐをリスンする必要はないので、無線デバイス２０２ｔが送信しようとしているチャネル（単数または複数）が予約される。無線デバイス２０２ｔは、ＲｘＢｅｅｐの間、その送信を停止させうる。
【００５９】
したがって、無線デバイス２０２ｔが、１または複数のチャネルで無線デバイス２０２ｒへ送信している場合、無線デバイス２０２ｒにおいて干渉がないことを保証するために、無線デバイス２０２ｒはＲｘＢｅｅｐを送信しうる。ＲｘＢｅｅｐは、予約済ＢＩと称される、ＲｘＢｅｅｐの送信後のＢＩの間、無線デバイス２０２ｔによる送信のため１または複数のチャネルを予約する。無線デバイス２０２ｒは、無線デバイス２０２ｒが、データの意図された受信先であると判定されると、その直後に、ＲｘＢｅｅｐを送信しうる。その後、無線デバイス２０２ｔは、予約済ＢＩの間、無線デバイス２０２ｒへ送信するように構成されうる。無線デバイス２０２ｒは、無線デバイス２０２ｔから受信することを意図しているデータ量について、無線デバイス２０２ｒによってなされた判定に基づいて、無線デバイス２０２ｒが、データの意図された受信先であると判定すると、複数のＢＩを予約するために、複数のＲｘＢｅｅｐを定期的に送信するように構成されうる。予約されるＢＩの数は、無線デバイス２０２ｔが受信するデータ量に基づきうる。
【００６０】
無線デバイス２０２ｒは、無線デバイス２０２ｔから送信されたデータ・パケットの最初の部分を受信することによって、無線デバイス２０２ｔからデータを受信するつもりであると判定しうる。データ・パケットの最初の部分は、無線デバイス２０２ｒがデータ・パケットの意図された受信先であることを無線デバイス２０２ｒに示すヘッダ情報を含みうる。無線デバイス２０２ｒが、パケットの最初の部分を受信した後にこの判定を行うために要する時間は、タイム・トゥ・ファースト・ビープ（ＴＴＦＢ：time to first beep）と称されうる。無線デバイス２０２ｒは、無線デバイス２０２ｒがデータ・パケットの意図された受信先であると判定されるや否や、ＲｘＢｅｅｐを送信しうるので、この名称は適切である。ＴＴＦＢは、無線デバイス２０２ｔが、データ・パケットのプリアンブルに、無線デバイス２０２ｒの媒体アクセス制御（ＭＡＣ）アドレスを含めることによって低減されうる。無線デバイス２０２ｒは、その後、データ・パケットの送信の早期において、ＭＡＣアドレスを検出し、この検出に基づいて、無線デバイス２０２ｒが、受信先であると判定する。無線デバイス２０２ｒはさらに、無線デバイス２０２ｔによって無線デバイス２０２ｒに送信されているデータの量を示す、データ・パケットの最初の部分におけるインジケーションに基づいて、追加のＢＩを予約するために、第１の予約済ＢＩ後の別の時間において、追加のＲｘＢｅｅｐを送信するか否かを判定しうる。
【００６１】
図８は、パケット８００を受信する無線デバイス２０２ｒによるＲｘＢｅｅｐの送信を例示する。例示されるように、パケット８００は、ヘッダ情報を備えるＰＨＹ１フィールド８０２、ヘッダ情報を備えるＰＨＹ２フィールド８０４、および幾つかのデータ・フィールド８０６を含むいくつかのフィールドを含む。データ・パケット８００を受信する無線デバイス２０２ｒは、ＰＨＹ１フィールド８０２に含まれる情報に基づいて、無線デバイス２０２ｒが、データ・パケット８００の意図された受信先であるか否かに関する判定を行うように構成されうる。したがって、無線デバイス２０２ｒは、ＰＨＹ１フィールド８０２の受信、すなわちＴＴＦＢに相当する期間後、ＲｘＢｅｅｐを送信するように構成されうる。ＲｘＢｅｅｐは、データ・パケット８００が第１のＢＩの間受信される通信チャネルを予約する。無線デバイス２０２ｒはさらに、ＰＨＹ１フィールド８０２に含まれる情報に基づいて、データ・パケット８００を受信するために３ＢＩを要するであろうことを判定しうる。したがって、第１のＢＩの後、無線デバイス２０２ｒは、第２のＢＩのためのチャネルを予約するために、別のＲｘＢｅｅｐを送信しうる。さらに、第２のＢＩの後、無線デバイス２０２ｒは、第３のＢＩのためのチャネルを予約するために、別のＲｘＢｅｅｐを送信しうる。したがって、データ・パケット８００の全体が、予約済ＢＩ中に受信される。無線デバイス２０２ｒはまた、データ・パケット８００の受信が終了していない限り、各ＢＩにおいて、ＲｘＢｅｅｐを送信し続けうる。
【００６２】
無線デバイス２０２ｔのように、潜在的な送信元のデバイスは、データの送信を開始する前に、ＲｘＢｅｅｐをリスンする。潜在的な送信元のデバイスは、ＰＩＦＳの間、ＲｘＢｅｅｐをリスンしうる。ＰＩＦＳは、少なくともＢＩの長さに設定されうる。なぜなら、これは、潜在的な送信元のデバイスがＲｘＢｅｅｐのリスンを開始する直前にＢＩを予約したＲｘＢｅｅｐを、潜在的な送信元のデバイスが見失わないことを保証するからである。ＲｘＢｅｅｐの受信に基づいて、（例えば、ＰＩＦＳ、ＳＩＦＳ、ＡＩＦＳ、スロット時間等のような）さまざまなチャネル・アクセス・メカニズムが、無線デバイス２０２ｔによって更新されうる。例えば、通信のためのスロット時間は、少なくともＴＴＦＢに、ショート・インタ・フレーム・スペース（ＳＩＦＳ）を加えたものに設定されうる。さらに、通信のためのアービトレーション・インタ・フレーム・スペース（ＡＩＦＳ）が、ＰＩＦＳ＋（ＡＩＦＳ番号（ＡＩＦＳＮ）−１）＊スロット時間に設定されうる。スロット時間、ＰＩＦＳ、ＳＩＦＳ、ＡＩＦＳ等は、当該技術分野で知られているように、無線ネットワークにおける通信のために使用される物理レイヤ（ＰＨＹ）および媒体アクセス制御（ＭＡＣ）レイヤの一部として構成されうる。潜在的な送信元のデバイスは、ＰＩＦＳ内でＲｘＢｅｅｐを聞くと、ＢＩの間、送信せず、チャネル・アクセス機能に関して、ＢＩの間、チャネルをビジーに維持する。潜在的な送信元のデバイスは、ＰＩＦＳ内でＲｘＢｅｅｐを聞かない場合、通信のために使用するために、または、バックオフ・カウンタのデクリメントのために使用するために、チャネル（単数または複数）がクリアであると判定する。
【００６３】
以下に記載されているものは、ＢＩのための適切な値を選択するための要因である。この選択を行うために、いくつかの考慮がなされうる。例えば、ＲｘＢｅｅｐは、ＢＩ毎に約４マイクロ秒のオーバヘッドを追加しうる。これによって、時間を予約するためにより短いＲｘＢｅｅｐしか送信する必要がなくなるので、ＢＩをより長くすれば、より良好になる。しかしながら、より長いＢＩを有することによってＰＩＦＳが増加する。これによって、デバイスは、通信チャネルがフリーであるか否かを判定するために長くリスンする必要はないので、より短いＢＩが、より良好になる。さらに、スロット時間は、可能な限り短くなるべきであるＴＴＦＢに関連しているので、長いスロット時間は、通信チャネルを予約するためのオーバヘッドを増加させる。したがって、通信チャネルを予約するためのオーバヘッドを減少させるために、値がどのようにして調節されうるのかを示すために、ＴＴＦＢ、ＢＩ、スロット時間等のための別の値の例が以下に説明される。
【００６４】
一例では、ＴＴＦＢ＝２８マイクロ秒、ＢＩ＝８０マイクロ秒、およびＳＩＦＳ＝１６マイクロ秒である。したがって、ＰＩＦＳ＝ＢＩ＝８０マイクロ秒である。さらに、スロット時間＝ＴＴＦＢ＋ＳＩＦＳ＝４４マイクロ秒である。さらに、分散調整機能（ＤＣＦ）インタ・フレーム・スペース（ＤＩＦＳ）＝ＰＩＦＳ＋スロット時間＝１２４マイクロ秒である。したがって、潜在的な送信機がトラフィックを送信する前に待つ必要のある平均時間は、ＤＩＦＳ＋７．５＊スロット時間＝４５４マイクロ秒である。さらに、２ミリ秒の長さのパケットの場合、時間を予約するために２６ビープが送信される必要があるであろうから、ビープを送信するために約１０２マイクロ秒を必要とする。したがって、２ミリ秒の長さのパケットを送信するためのオーバヘッドの合計は、４５４＋１０２＝５５６マイクロ秒である。これは、２ミリ秒のパケットの全体の約２２％である。
【００６５】
別の例では、ＴＴＦＢ＝２０マイクロ秒、ＢＩ＝８０マイクロ秒、ＳＩＦＳ＝１０マイクロ秒である。したがって、ＤＩＦＳ＝ＢＩ＝８０マイクロ秒である（ここで、システム内でＰＩＦＳアクセスはない）。さらに、スロット時間＝ＴＴＦＢ＋ＳＩＦＳ＝３０マイクロ秒である。したがって、潜在的な送信機がトラフィックを送信する前に待つ必要のある平均時間は、ＤＩＦＳ＋７．５＊スロット時間＝３０５マイクロ秒である。さらに、２ミリ秒の長さのパケットの場合、時間を予約するために２６ビープが送信される必要があるだろうから、ビープを送信するために約１０３マイクロ秒を必要とする。したがって、２ミリ秒の長さのパケットを送信するためのオーバヘッドの合計は、３０５＋１０３＝４０８マイクロ秒である。これは、２ミリ秒のパケットの全体の約１７％である。
【００６６】
図９は、通信チャネルを予約するためにオーバヘッドで費やされる時間の長さ対ＢＩのために選択された値のグラフを例示する。グラフ９００は、前述した例と同様に、特定のネットワークのためになされたシミュレーションに基づく。見て分かるように、通信チャネルを予約するために、約１００マイクロ秒のＢＩが、最低のオーバヘッド（約４００マイクロ秒）となるように見える。
【００６７】
いくつかの実施形態では、ＲｘＢｅｅｐはまた、ＲＴＳ／ＣＴＳ同様に、衝突検出を実行するためにも使用されうる。このような実施形態では、無線デバイス２０２ｒへ送信するデータを有する無線デバイス２０２ｔは、送信前に、無線デバイス２０２ｒからビープを受信するのを待つように構成されうる（これは、ビープを受信するために回路をアクティブにする必要があることを意味する）。その後、無線デバイス２０２ｔは、応答ビープ（ＴｘＢｅｅｐ）を送信しうる。これは、衝突を検出するために要する時間を低減しうる。
【００６８】
また、通信チャネルを予約するために、ＲｘＢｅｅｐに加えて、または、ＲｘＢｅｅｐの代わりに、ＴｘＢｅｅｐが使用されうることも注目されるべきである。ＲｘＢｅｅｐおよびＴｘＢｅｅｐは、その後のシンボルにおいてスケジュールされうる。
【００６９】
図１０は、受信機ベースのＣＣＡを用いて、無線ネットワークにおいてデータを送信するための方法１０００の態様を例示する。ブロック１００２では、無線デバイス２０２ｔは、無線デバイス２０２ｔがデータを送信したい１または複数の通信チャネルが使用中であることを示す予約信号をリスンする。無線デバイス２０２ｔは、前述したように、使用されている予約信号のタイプに基づいて、１または複数のチャネル自身をリスンするか、または、１または複数のチャネルに関連付けられた１または複数の専用チャネルをリスンしうる。無線デバイス２０２ｔはさらに、予め定められた期間、リスンしうる。ブロック１００４では、無線デバイス２０２ｔが、予約信号が検出されたか否かを判定する。ブロック１００４において、予約信号が検出されたのであれば、無線デバイス２０２ｔは、ブロック１００６において待つ。無線デバイス２０２ｔは、前述したように、検出された予約信号のタイプに基づいて、固定された期間待つか、または、予約信号がもはや検出されなくなるまで待つ。その後、方法１０００は、ブロック１００８へと続く。ブロック１００４において、予約信号が検出されない場合、無線デバイス２０２ｔは、ブロック１００８へと続く。ブロック１００８では、無線デバイス２０２ｔが、無線デバイス２０２ｒへデータ・パケットを送信し始める。
【００７０】
図１１は、受信機ベースのＣＣＡを用いて、無線ネットワークにおいてデータを受信する方法１１００の態様を例示する。ブロック１１０２では、無線デバイス２０２ｒが、無線デバイス２０２ｔからデータ・パケットの最初の部分を受信する。ブロック１１０４では、無線デバイス２０２ｒは、無線デバイス２０２ｒが、データ・パケットのための意図された受信先であるか否かを判定する。ブロック１１０４において、無線デバイス２０２ｒが意図された受信先ではないと無線デバイス２０２ｒが判定した場合、方法１１００は終了する。ブロック１１０４において、無線デバイス２０２ｒが意図された受信先であると無線デバイス２０２ｒが判定した場合、方法１１００はブロック１１０６へと続く。ブロック１１０６では、無線デバイス２０２ｒは、前述したように、無線デバイス２０２ｔからデータ・パケットを受信するための通信チャネルを予約するために、予約信号を送信する。
【００７１】
図１２は、無線通信システム１００内で適用されうる別の典型的な無線デバイス１２００の機能ブロック図である。デバイス１２００は、予約信号を検出するための検出モジュール１２０２を備える。検出モジュール１２０２は、図１０に例示されたブロック１００２，１００４，１００６に関して前述された機能のうちの１または複数を実行するように構成されうる。検出モジュール１２０２は、プロセッサ２０４およびＤＳＰ２２０のうちの１または複数に相当しうる。デバイス１２００はさらに、データ・パケットを送信するための送信モジュール１２０４を備える。送信モジュール１２０４は、図１０に例示されたブロック１００８に関して前述された機能のうちの１または複数を実行するように構成されうる。送信モジュール１２０４は、送信機２１０に相当しうる。
【００７２】
図１３は、無線通信システム１３０内で適用されうる別の典型的な無線デバイス１３００の機能ブロック図である。デバイス１３００は、パケットを備える無線通信を無線で受信するための受信モジュール１３０２を備える。受信モジュール１３０２は、図１１に例示されたブロック１１０２に関して前述された機能のうちの１または複数を実行するように構成されうる。受信モジュール１３０２は、受信機２１２に相当しうる。デバイス１３００はさらに、デバイス１３００が、パケットの意図された受信先であるか否かを判定するための判定モジュール１３０４を備える。判定モジュール１３０４は、図１１に例示されたブロック１１０４に関して前述された機能のうちの１または複数を実行するように構成されうる。判定モジュール１３０４は、プロセッサ２０４、信号検出器２１８、およびＤＳＰ２２０のうちの１または複数に相当しうる。デバイス１３００はさらに、予約信号の生成および送信のための予約モジュール１３０６を備える。予約モジュール１３０６は、図１１に例示されたブロック１１０６に関して前述された機能のうちの１または複数を実行するように構成されうる。予約モジュール１３０６は、プロセッサ２０４、送信機２１０、およびＤＳＰ２２０のうちの１または複数に相当しうる。
【００７３】
本明細書で使用される場合、用語「判定すること（determining）」は、さまざまな動作を含む。例えば、「判定すること」は、計算、コンピューティング、処理、導出、調査、ルックアップ（例えば、テーブル、データベース、または他のデータ構造内のルックアップ）、確認等を行うことを含みうる。また、「判定すること」は、受信（例えば、情報の受信）、アクセス（例えば、メモリ内のデータへのアクセス）等を行うことを含みうる。また、「判定すること」は、解決、選択、選定、確立等を行うことを含みうる。さらに、本明細書で使用されるような「チャネル幅」は、ある態様において、帯域幅と称されうるか、または、帯域幅を包含しうる。
【００７４】
本明細書に記載されるように、アイテムのリストのうちの「少なくとも１つ」と称する文言は、単数を含むこれらアイテムのうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００７５】
前述した方法のさまざまな動作は、例えばさまざまなハードウェア構成要素および／またはソフトウェア構成要素、回路、および／または、モジュール（単数または複数）のように、動作を実行することが可能な任意の適切な手段によって実行されうる。通常、図面に例示される何れの動作も、これら動作を実行することが可能な対応する機能手段によって実行されうる。
【００７６】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロ・プロセッサでありうるが、代替案では、プロセッサは、任意の市販のプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７７】
１または複数の態様では、説明された機能が、ハードウェア、ソフトウェア、ファームウェア、またはこれらの任意の組み合わせで実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。したがって、いくつかの態様では、コンピュータ読取可能な媒体は、非一時的なコンピュータ読取可能な媒体（例えば、実体的な媒体）を備えうる。さらに、いくつかの態様では、コンピュータ読取可能な媒体は、一時的なコンピュータ読取可能な媒体（例えば、信号）を備えうる。前述した組み合わせもまた、コンピュータ読取可能な媒体の範囲内に含まれるべきである。
【００７８】
本明細書で開示された方法は、説明された方法を達成するための１または複数のステップまたは動作を備える。方法ステップおよび／または動作は、特許請求の範囲のスコープから逸脱せずに相互に置換されうる。言い換えると、ステップまたは動作の特定の順序が指定されていない限り、特定のステップおよび／または動作の順序および／または使用は、特許請求の範囲のスコープから逸脱せずに変更されうる。
【００７９】
説明された機能を、ハードウェア、ソフトウェア、ファームウェア、またはその任意の組合せで実施することができる。ソフトウェアで実現される場合、これら機能は、コンピュータ読取可能な媒体に、１または複数の命令群として格納される。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含んでいる。ここで、ｄｉｓｋは通常、データを磁気的に再生する一方、ｄｉｓｃは、レーザを用いてデータを光学的に再生する。
【００８０】
したがって、ある態様は、本明細書に記載された動作を実行するためのコンピュータ・プログラム製品を備えうる。例えば、このようなコンピュータ・プログラム製品は、格納された（および／または符号化された）命令群を有するコンピュータ読取可能な媒体を備える。これら命令群は、本明細書において記載された動作を実行するために、１または複数のプロセッサによって実行されることが可能である。ある態様の場合、コンピュータ・プログラム製品は、パッケージング・マテリアルを含みうる。
【００８１】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００８２】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、このようなデバイスは、本明細書で説明した方法を実行するための手段の転送を容易にするためにサーバに結合されうる。代替案では、本明細書に記載されたさまざまな方法は、記憶手段（例えば、ＲＡＭ、ＲＯＭ、コンパクト・ディスク（ＣＤ）またはフロッピー・ディスクなどの物理記憶媒体など）を介して提供され、ユーザ端末および／または基地局は、記憶手段をデバイスに結合するか提供するときにさまざまな方法を取得しうる。さらに、本明細書で説明された方法および技法をデバイスに提供するために、その他任意の適切な技法が利用されうる。
【００８３】
特許請求の範囲が、上述した正確な構成および構成要素に限定されないことを理解されたい。さまざまな修正、変更、および変形が、特許請求の範囲の範囲から逸脱せずに、前述した方法および装置の構成、動作、および詳細において実施されうる。
【００８４】
前述したものは、本開示の態様に向けられているが、これら開示のその他およびさらなる態様が、本願の基本的な範囲から逸脱することなく考案され、この範囲は、以下に示す特許請求の範囲によって決定される。
【図１】
2015097404.tif 000003
【図２】
2015097404.tif 000004
【図３】
2015097404.tif 000005
【図５】
2015097404.tif 000006
【図６】
2015097404.tif 000007
【図７】
2015097404.tif 000008
【図８】
2015097404.tif 000009
【図１０】
2015097404.tif 000010
【図１１】
2015097404.tif 000011
【図１２】
2015097404.tif 000012
【図１３】
2015097404.tif 000013
【図４】
2015097404.tif 000014
【図９】
2015097404.tif 000015
【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
無線ネットワークにおいて通信する方法であって、
少なくとも予め定義された期間、予約信号をリスンすることと、ここで、前記予約信号は、通信チャネルを予約するように構成される、
予約信号が検出されたか否かを判定することと、
前記予約信号が検出されたとの判定に基づいて、チャネル・アクセス・メカニズムを更新することと、
を備える方法。
【請求項２】
前記チャネル・アクセス・メカニズムは、予め定義された期間に少なくとも等しいポイント調整機能インタ・フレーム・スペースを備える、請求項１に記載の方法。
【請求項３】
前記チャネル・アクセス・メカニズムは、別の予約信号がパケットの受信機によって送信されるまでの時間に少なくとも等しいスロット時間を備える、請求項１に記載の方法。
【請求項４】
無線ネットワークにおいて通信する方法であって、
少なくとも予め定義された期間、予約信号をリスンすることと、ここで、前記予約信号は、通信チャネルを予約するように構成される、
予約信号が検出されたか否かを判定することと、
前記予約信号が検出されたとの判定に基づいて、前記通信チャネルでデータ・パケットを送信することと、
を備える方法。
【請求項５】
前記通信チャネルではない専用チャネルにおいて前記予約信号をリスンすることをさらに備え、
前記専用チャネルは、前記通信チャネルに関連付けられている、請求項４に記載の方法。
【請求項６】
前記通信チャネルにおいて前記予約信号をリスンすること、をさらに備える請求項４に記載の方法。
【請求項７】
前記通信チャネルを予約するように構成された予約信号を、固定期間の間、前記通信チャネルにおいてリスンすること、をさらに備える請求項４に記載の方法。
【請求項８】
前記固定期間後、前記データ・パケットを送信すること、をさらに備える請求項７に記載の方法。
【請求項９】
予約信号が検出されない場合に、前記データ・パケットを送信すること、をさらに備える請求項４に記載の方法。
【請求項１０】
アクノレッジメントを受信するために前記通信チャネルを予約するために、別の予約信号を送信すること、をさらに備える請求項４に記載の方法。
【請求項１１】
無線ネットワークにおいて通信する装置であって、
少なくとも予め定義された期間、予約信号をリスンするように構成された受信機と、ここで、前記予約信号は、通信チャネルを予約するように構成される、
予約信号が検出されたか否かを判定し、前記予約信号が検出されたとの判定に基づいて、チャネル・アクセス・メカニズムを更新するように構成されたプロセッサと、
を備える装置。
【請求項１２】
前記チャネル・アクセス・メカニズムは、予め定義された期間に少なくとも等しいポイント調整機能インタ・フレーム・スペースを備える、請求項１１に記載の装置。
【請求項１３】
前記チャネル・アクセス・メカニズムは、別の予約信号がパケットの受信機によって送信されるまでの時間に少なくとも等しいスロット時間を備える、請求項１１に記載の装置。
【請求項１４】
無線ネットワークにおいて通信する装置であって、
少なくとも予め定義された期間、予約信号をリスンするように構成された受信機と、ここで、前記予約信号は、通信チャネルを予約するように構成される、
予約信号が検出されたか否かを判定するように構成されたプロセッサと、
前記予約信号が検出されたとの判定に基づいて、前記通信チャネルでデータ・パケットを送信するように構成された送信機と、
を備える装置。
【請求項１５】
前記受信機はさらに、前記通信チャネルではない専用チャネルにおいて前記予約信号をリスンするように構成され、
前記専用チャネルは、前記通信チャネルに関連付けられている、請求項１４に記載の装置。
【請求項１６】
前記受信機はさらに、前記通信チャネルにおいて前記予約信号をリスンするように構成された、請求項１４に記載の装置。
【請求項１７】
前記受信機はさらに、前記通信チャネルを予約するように構成された予約信号を、固定期間の間、前記通信チャネルにおいてリスンするように構成された、請求項１４に記載の装置。
【請求項１８】
前記送信機はさらに、前記固定期間後、前記データ・パケットを送信するように構成された、請求項１７に記載の装置。
【請求項１９】
前記送信機はさらに、予約信号が検出されない場合、前記データ・パケットを送信するように構成された、請求項１４に記載の装置。
【請求項２０】
前記送信機はさらに、アクノレッジメントを受信するために前記通信チャネルを予約するために、別の予約信号を送信するように構成された、請求項１４に記載の装置。
【請求項２１】
無線ネットワークにおいて通信する装置であって、
少なくとも予め定義された期間、予約信号をリスンする手段と、ここで、前記予約信号は、通信チャネルを予約するように構成される、
予約信号が検出されたか否かを判定する手段と、
前記予約信号が検出されたとの判定に基づいて、チャネル・アクセス・メカニズムを更新する手段と、
を備える装置。
【請求項２２】
前記チャネル・アクセス・メカニズムは、予め定義された期間に少なくとも等しいポイント調整機能インタ・フレーム・スペースを備える、請求項２１に記載の装置。
【請求項２３】
前記チャネル・アクセス・メカニズムは、別の予約信号がパケットの受信機によって送信されるまでの時間に少なくとも等しいスロット時間を備える、請求項２１に記載の装置。
【請求項２４】
無線ネットワークにおいて通信する装置であって、
少なくとも予め定義された期間、予約信号をリスンする手段と、ここで、前記予約信号は、通信チャネルを予約するように構成される、
予約信号が検出されたか否かを判定する手段と、
前記予約信号が検出されたとの判定に基づいて、前記通信チャネルでデータ・パケットを送信する手段と、
を備える装置。
【請求項２５】
前記通信チャネルではない専用チャネルにおいて前記予約信号をリスンする手段をさらに備え、
前記専用チャネルは、前記通信チャネルに関連付けられている、請求項２４に記載の装置。
【請求項２６】
前記通信チャネルにおいて前記予約信号をリスンする手段、をさらに備える請求項２４に記載の装置。
【請求項２７】
前記通信チャネルを予約するように構成された予約信号を、固定期間の間、前記通信チャネルにおいてリスンする手段、をさらに備える請求項２４に記載の装置。
【請求項２８】
前記固定期間後、前記データ・パケットを送信する手段、をさらに備える請求項２７に記載の装置。
【請求項２９】
予約信号が検出されない場合、前記データ・パケットを送信する手段、をさらに備える請求項２４に記載の装置。
【請求項３０】
アクノレッジメントを受信するために前記通信チャネルを予約するために、別の予約信号を送信する手段、をさらに備える請求項２４に記載の装置。
【請求項３１】
実行された場合、装置に対して、
少なくとも予め定義された期間、予約信号をリスンすることと、ここで、前記予約信号は、通信チャネルを予約するように構成される、
予約信号が検出されたか否かを判定することと、
前記予約信号が検出されたとの判定に基づいて、チャネル・アクセス・メカニズムを更新することと、
を実行させる命令群、を備えるコンピュータ読取可能な媒体。
【請求項３２】
前記チャネル・アクセス・メカニズムは、予め定義された期間に少なくとも等しいポイント調整機能インタ・フレーム・スペースを備える、請求項３１に記載のコンピュータ読取可能な媒体。
【請求項３３】
前記チャネル・アクセス・メカニズムは、別の予約信号がパケットの受信機によって送信されるまでの時間に少なくとも等しいスロット時間を備える、請求項３１に記載のコンピュータ読取可能な媒体。
【請求項３４】
実行された場合、装置に対して、
少なくとも予め定義された期間、予約信号をリスンすることと、ここで、前記予約信号は、通信チャネルを予約するように構成される、
予約信号が検出されたかを否かを判定することと、
前記予約信号が検出されたとの判定に基づいて、前記通信チャネルでデータ・パケットを送信することと、
を実行させる命令群、を備えるコンピュータ読取可能な媒体。
【請求項３５】
実行された場合、前記装置に対して、前記通信チャネルではない専用チャネルにおいて前記予約信号をリスンさせるための命令群をさらに備え、ここで、前記専用チャネルは、前記通信チャネルに関連付けられている、請求項３４に記載のコンピュータ読取可能な媒体。
【請求項３６】
実行された場合、前記装置に対して、前記通信チャネルにおいて前記予約信号をリスンさせるための命令群、をさらに備える請求項３４に記載のコンピュータ読取可能な媒体。
【請求項３７】
実行された場合、前記装置に対して、前記通信チャネルを予約するように構成された予約信号を、固定期間の間、前記通信チャネルにおいてリスンさせるための命令群、をさらに備える請求項３４に記載のコンピュータ読取可能な媒体。
【請求項３８】
実行された場合、前記装置に対して、前記固定期間後、前記データ・パケットを送信させるための命令群、をさらに備える請求項３７に記載のコンピュータ読取可能な媒体。
【請求項３９】
実行された場合、前記装置に対して、予約信号が検出されない場合、前記データ・パケットを送信させるための命令群、をさらに備える請求項３４に記載のコンピュータ読取可能な媒体。
【請求項４０】
実行された場合、前記装置に対して、アクノレッジメントを受信するために前記通信チャネルを予約するために、別の予約信号を送信させるための命令群、をさらに備える請求項３４に記載のコンピュータ読取可能な媒体。
【手続補正２】
【補正対象書類名】明細書
【補正対象項目名】００８４
【補正方法】変更
【補正の内容】
【００８４】
前述したものは、本開示の態様に向けられているが、これら開示のその他およびさらなる態様が、本願の基本的な範囲から逸脱することなく考案され、この範囲は、以下に示す特許請求の範囲によって決定される。
以下に、本願出願の当初の特許請求の範囲に記載された発明を付記する。
［Ｃ１］
無線ネットワークにおいて通信する方法であって、
データ・パケットの少なくとも一部を受信することと、
無線デバイスが、前記データ・パケットの、意図された受信機であることを判定することと、
前記無線デバイスが、前記意図された受信機であるとの判定に基づいて、予約信号を送信することと、ここで、前記予約信号は、前記無線デバイスが前記データ・パケットを受信するための通信チャネルを予約するように構成される、
を備える方法。
［Ｃ２］
前記予約信号は、前記通信チャネルではない専用チャネルで送信され、前記専用チャネルは、前記通信チャネルに関連付けられている、Ｃ１に記載の方法。
［Ｃ３］
前記予約信号は、前記通信チャネルで送信される、Ｃ１に記載の方法。
［Ｃ４］
前記予約信号は、第１の固定期間よりも長い第２の固定期間を備える、ビープ・インタバルによって分離された前記第１の固定期間のビープのシリーズを備える、Ｃ３に記載の方法。
［Ｃ５］
前記ビープのシリーズの各ビープは、ショート・トレーニング・フィールド信号を備える、Ｃ４に記載の方法。
［Ｃ６］
前記予約信号は、固定期間の間、前記通信チャネルを予約するように構成される、Ｃ１に記載の方法。
［Ｃ７］
前記固定期間の間、前記データ・パケットを受信すること、をさらに備えるＣ６に記載の方法。
［Ｃ８］
無線ネットワークにおいて通信する方法であって、
少なくとも予め定義された期間、予約信号をリスンすることと、ここで、前記予約信号は、通信チャネルを予約するように構成される、
予約信号が検出されたか否かを判定することと、
前記予約信号が検出されたとの判定に基づいて、チャネル・アクセス・メカニズムを更新することと、
を備える方法。
［Ｃ９］
前記チャネル・アクセス・メカニズムは、予め定義された期間に少なくとも等しいポイント調整機能インタ・フレーム・スペースを備える、Ｃ８に記載の方法。
［Ｃ１０］
前記チャネル・アクセス・メカニズムは、別の予約信号がパケットの受信機によって送信されるまでの時間に少なくとも等しいスロット時間を備える、Ｃ８に記載の方法。
［Ｃ１１］
無線ネットワークにおいて通信する方法であって、
少なくとも予め定義された期間、予約信号をリスンすることと、ここで、前記予約信号は、通信チャネルを予約するように構成される、
予約信号が検出されたか否かを判定することと、
前記予約信号が検出されたとの判定に基づいて、前記通信チャネルでデータ・パケットを送信することと、
を備える方法。
［Ｃ１２］
前記通信チャネルではない専用チャネルにおいて前記予約信号をリスンすることをさらに備え、
前記専用チャネルは、前記通信チャネルに関連付けられている、Ｃ１１に記載の方法。
［Ｃ１３］
前記通信チャネルにおいて前記予約信号をリスンすること、をさらに備えるＣ１１に記載の方法。
［Ｃ１４］
前記通信チャネルを予約するように構成された予約信号を、固定期間の間、前記通信チャネルにおいてリスンすること、をさらに備えるＣ１１に記載の方法。
［Ｃ１５］
前記固定期間後、前記データ・パケットを送信すること、をさらに備えるＣ１４に記載の方法。
［Ｃ１６］
予約信号が検出されない場合に、前記データ・パケットを送信すること、をさらに備えるＣ１１に記載の方法。
［Ｃ１７］
アクノレッジメントを受信するために前記通信チャネルを予約するために、別の予約信号を送信すること、をさらに備えるＣ１１に記載の方法。
［Ｃ１８］
無線ネットワークにおいて通信する装置であって、
データ・パケットの少なくとも一部を受信するように構成された受信機と、
前記装置が、前記データ・パケットの、意図された受信機であることを判定するように構成されたプロセッサと、
前記装置が、前記意図された受信機であるとの判定に基づいて、予約信号を送信するように構成された送信機と、ここで、前記予約信号は、前記装置が前記データ・パケットを受信するための通信チャネルを予約するように構成される、
を備える装置。
［Ｃ１９］
前記予約信号は、前記通信チャネルではない専用チャネルで送信され、前記専用チャネルは、前記通信チャネルに関連付けられている、Ｃ１８に記載の装置。
［Ｃ２０］
前記予約信号は、前記通信チャネルで送信される、Ｃ１８に記載の装置。
［Ｃ２１］
前記予約信号は、第１の固定期間よりも長い第２の固定期間を備える、ビープ・インタバルによって分離された前記第１の固定期間のビープのシリーズを備える、Ｃ２０に記載の装置。
［Ｃ２２］
前記ビープのシリーズの各ビープは、ショート・トレーニング・フィールド信号を備える、Ｃ２１に記載の装置。
［Ｃ２３］
前記予約信号は、固定期間の間、前記通信チャネルを予約するように構成される、Ｃ１８に記載の装置。
［Ｃ２４］
前記受信機はさらに、前記固定期間の間、前記データ・パケットを受信するように構成された、Ｃ２３に記載の装置。
［Ｃ２５］
無線ネットワークにおいて通信する装置であって、
少なくとも予め定義された期間、予約信号をリスンするように構成された受信機と、ここで、前記予約信号は、通信チャネルを予約するように構成される、
予約信号が検出されたか否かを判定し、前記予約信号が検出されたとの判定に基づいて、チャネル・アクセス・メカニズムを更新するように構成されたプロセッサと、
を備える装置。
［Ｃ２６］
前記チャネル・アクセス・メカニズムは、予め定義された期間に少なくとも等しいポイント調整機能インタ・フレーム・スペースを備える、Ｃ２５に記載の装置。
［Ｃ２７］
前記チャネル・アクセス・メカニズムは、別の予約信号がパケットの受信機によって送信されるまでの時間に少なくとも等しいスロット時間を備える、Ｃ２５に記載の装置。
［Ｃ２８］
無線ネットワークにおいて通信する装置であって、
少なくとも予め定義された期間、予約信号をリスンするように構成された受信機と、ここで、前記予約信号は、通信チャネルを予約するように構成される、
予約信号が検出されたか否かを判定するように構成されたプロセッサと、
前記予約信号が検出されたとの判定に基づいて、前記通信チャネルでデータ・パケットを送信するように構成された送信機と、
を備える装置。
［Ｃ２９］
前記受信機はさらに、前記通信チャネルではない専用チャネルにおいて前記予約信号をリスンするように構成され、
前記専用チャネルは、前記通信チャネルに関連付けられている、Ｃ２８に記載の装置。
［Ｃ３０］
前記受信機はさらに、前記通信チャネルにおいて前記予約信号をリスンするように構成された、Ｃ２８に記載の装置。
［Ｃ３１］
前記受信機はさらに、前記通信チャネルを予約するように構成された予約信号を、固定期間の間、前記通信チャネルにおいてリスンするように構成された、Ｃ２８に記載の装置。
［Ｃ３２］
前記送信機はさらに、前記固定期間後、前記データ・パケットを送信するように構成された、Ｃ３１に記載の装置。
［Ｃ３３］
前記送信機はさらに、予約信号が検出されない場合、前記データ・パケットを送信するように構成された、Ｃ２８に記載の装置。
［Ｃ３４］
前記送信機はさらに、アクノレッジメントを受信するために前記通信チャネルを予約するために、別の予約信号を送信するように構成された、Ｃ２８に記載の装置。
［Ｃ３５］
無線ネットワークにおいて通信する装置であって、
データ・パケットの少なくとも一部を受信する手段と、
前記装置が、前記データ・パケットの、意図された受信機であることを判定する手段と、
前記装置が、前記意図された受信機であるとの判定に基づいて、予約信号を送信する手段と、ここで、前記予約信号は、前記装置が前記データ・パケットを受信するための通信チャネルを予約するように構成される、
を備える装置。
［Ｃ３６］
前記予約信号は、前記通信チャネルではない専用チャネルで送信され、前記専用チャネルは、前記通信チャネルに関連付けられている、Ｃ３５に記載の装置。
［Ｃ３７］
前記予約信号は、前記通信チャネルで送信される、Ｃ３５に記載の装置。
［Ｃ３８］
前記予約信号は、第１の固定期間よりも長い第２の固定期間を備える、ビープ・インタバルによって分離された前記第１の固定期間のビープのシリーズを備える、Ｃ３７に記載の装置。
［Ｃ３９］
前記ビープのシリーズの各ビープは、ショート・トレーニング・フィールド信号を備える、Ｃ３８に記載の装置。
［Ｃ４０］
前記予約信号は、固定期間の間、前記通信チャネルを予約するように構成される、Ｃ３５に記載の装置。
［Ｃ４１］
前記固定期間の間、前記データ・パケットを受信する手段、をさらに備えるＣ４０に記載の装置。
［Ｃ４２］
無線ネットワークにおいて通信する装置であって、
少なくとも予め定義された期間、予約信号をリスンする手段と、ここで、前記予約信号は、通信チャネルを予約するように構成される、
予約信号が検出されたか否かを判定する手段と、
前記予約信号が検出されたとの判定に基づいて、チャネル・アクセス・メカニズムを更新する手段と、
を備える装置。
［Ｃ４３］
前記チャネル・アクセス・メカニズムは、予め定義された期間に少なくとも等しいポイント調整機能インタ・フレーム・スペースを備える、Ｃ４２に記載の装置。
［Ｃ４４］
前記チャネル・アクセス・メカニズムは、別の予約信号がパケットの受信機によって送信されるまでの時間に少なくとも等しいスロット時間を備える、Ｃ４２に記載の装置。
［Ｃ４５］
無線ネットワークにおいて通信する装置であって、
少なくとも予め定義された期間、予約信号をリスンする手段と、ここで、前記予約信号は、通信チャネルを予約するように構成される、
予約信号が検出されたか否かを判定する手段と、
前記予約信号が検出されたとの判定に基づいて、前記通信チャネルでデータ・パケットを送信する手段と、
を備える装置。
［Ｃ４６］
前記通信チャネルではない専用チャネルにおいて前記予約信号をリスンする手段をさらに備え、
前記専用チャネルは、前記通信チャネルに関連付けられている、Ｃ４５に記載の装置。
［Ｃ４７］
前記通信チャネルにおいて前記予約信号をリスンする手段、をさらに備えるＣ４５に記載の装置。
［Ｃ４８］
前記通信チャネルを予約するように構成された予約信号を、固定期間の間、前記通信チャネルにおいてリスンする手段、をさらに備えるＣ４５に記載の装置。
［Ｃ４９］
前記固定期間後、前記データ・パケットを送信する手段、をさらに備えるＣ４８に記載の装置。
［Ｃ５０］
予約信号が検出されない場合、前記データ・パケットを送信する手段、をさらに備えるＣ４５に記載の装置。
［Ｃ５１］
アクノレッジメントを受信するために前記通信チャネルを予約するために、別の予約信号を送信する手段、をさらに備えるＣ４５に記載の装置。
［Ｃ５２］
実行された場合、装置に対して、
データ・パケットの少なくとも一部を受信することと、
前記装置が、前記データ・パケットの、意図された受信機であることを判定することと、
前記装置が、前記意図された受信機であるとの判定に基づいて、予約信号を送信することと、ここで、前記予約信号は、前記装置が前記データ・パケットを受信するための通信チャネルを予約するように構成される、
を実行させる命令群、を備えるコンピュータ読取可能な媒体。
［Ｃ５３］
前記予約信号は、前記通信チャネルではない専用チャネルで送信され、前記専用チャネルは、前記通信チャネルに関連付けられている、Ｃ５２に記載のコンピュータ読取可能な媒体。
［Ｃ５４］
前記予約信号は、前記通信チャネルで送信される、Ｃ５２に記載のコンピュータ読取可能な媒体。
［Ｃ５５］
前記予約信号は、第１の固定期間よりも長い第２の固定期間を備える、ビープ・インタバルによって分離された前記第１の固定期間のビープのシリーズを備える、Ｃ５４に記載のコンピュータ読取可能な媒体。
［Ｃ５６］
前記ビープのシリーズの各ビープは、ショート・トレーニング・フィールド信号を備える、Ｃ５５に記載のコンピュータ読取可能な媒体。
［Ｃ５７］
前記予約信号は、固定期間の間、前記通信チャネルを予約するように構成される、Ｃ５２に記載のコンピュータ読取可能な媒体。
［Ｃ５８］
実行された場合、前記装置に対して、前記固定期間の間、前記データ・パケットを受信させる命令群、をさらに備えるＣ５７に記載のコンピュータ読取可能な媒体。
［Ｃ５９］
実行された場合、装置に対して、
少なくとも予め定義された期間、予約信号をリスンすることと、ここで、前記予約信号は、通信チャネルを予約するように構成される、
予約信号が検出されたか否かを判定することと、
前記予約信号が検出されたとの判定に基づいて、チャネル・アクセス・メカニズムを更新することと、
を実行させる命令群、を備えるコンピュータ読取可能な媒体。
［Ｃ６０］
前記チャネル・アクセス・メカニズムは、予め定義された期間に少なくとも等しいポイント調整機能インタ・フレーム・スペースを備える、Ｃ５９に記載のコンピュータ読取可能な媒体。
［Ｃ６１］
前記チャネル・アクセス・メカニズムは、別の予約信号がパケットの受信機によって送信されるまでの時間に少なくとも等しいスロット時間を備える、Ｃ５９に記載のコンピュータ読取可能な媒体。
［Ｃ６２］
実行された場合、装置に対して、
少なくとも予め定義された期間、予約信号をリスンすることと、ここで、前記予約信号は、通信チャネルを予約するように構成される、
予約信号が検出されたかを否かを判定することと、
前記予約信号が検出されたとの判定に基づいて、前記通信チャネルでデータ・パケットを送信することと、
を実行させる命令群、を備えるコンピュータ読取可能な媒体。
［Ｃ６３］
実行された場合、前記装置に対して、前記通信チャネルではない専用チャネルにおいて前記予約信号をリスンさせるための命令群をさらに備え、ここで、前記専用チャネルは、前記通信チャネルに関連付けられている、Ｃ６２に記載のコンピュータ読取可能な媒体。
［Ｃ６４］
実行された場合、前記装置に対して、前記通信チャネルにおいて前記予約信号をリスンさせるための命令群、をさらに備えるＣ６２に記載のコンピュータ読取可能な媒体。
［Ｃ６５］
実行された場合、前記装置に対して、前記通信チャネルを予約するように構成された予約信号を、固定期間の間、前記通信チャネルにおいてリスンさせるための命令群、をさらに備えるＣ６２に記載のコンピュータ読取可能な媒体。
［Ｃ６６］
実行された場合、前記装置に対して、前記固定期間後、前記データ・パケットを送信させるための命令群、をさらに備えるＣ６５に記載のコンピュータ読取可能な媒体。
［Ｃ６７］
実行された場合、前記装置に対して、予約信号が検出されない場合、前記データ・パケットを送信させるための命令群、をさらに備えるＣ６２に記載のコンピュータ読取可能な媒体。
［Ｃ６８］
実行された場合、前記装置に対して、アクノレッジメントを受信するために前記通信チャネルを予約するために、別の予約信号を送信させるための命令群、をさらに備えるＣ６２に記載のコンピュータ読取可能な媒体。
【外国語明細書】
2015097404000001.pdf